(57)【要約】【課題】原稿をスキャンしてＥメールの添付ファイルとして送信する場合において、ユーザがメールの題名を入力する手間を省き、かつ原稿幅に応じて適切な題名を自動的に設定して好適な操作性のメール送信装置を提供すること。【解決手段】原稿セット時、原稿幅に応じてあらかじめ用意しておいた複数の固定の題名の中から一つをメールの題名として設定する。【選択図】        図５
2005011087.tif 000002
【特許請求の範囲】
【請求項１】
原稿をスキャンする読取手段と、
該読取手段によってスキャンされた原稿を画像情報として電子メールにて送信するメール送信手段と、
該原稿の原稿サイズを検出する原稿サイズ検出手段と、
を含むメール送信装置において、
原稿サイズに対応した電子メールの題名の文字列を複数保持する保持手段を含み、
前記原稿サイズ検出手段によって検出された原稿サイズに対応する電子メールの題名の文字列を、前記保持手段より読み出し割り当て、電子メールの題名として設定する題名設定手段を含み、該題名設定手段によって題名を設定し、前記メール送信手段にて送信することを特徴とするメール送信装置。
【請求項２】
原稿をスキャンする読取手段と、
該読取手段によってスキャンされた原稿を画像情報として電子メールにて送信するメール送信手段と、
該原稿の原稿サイズを手動で設定する原稿サイズ設定手段と、
を含むメール送信装置において、
原稿サイズに対応した電子メールの題名の文字列を複数保持する保持手段を含み、
前記原稿サイズ設定手段によって設定された原稿サイズに対応する電子メールの題名の文字列を、前記保持手段より読み出し割り当て、電子メールの題名として設定する題名設定手段を含み、該題名設定手段によって題名を設定し、前記メール送信手段にて送信することを特徴とするメール送信装置。
【請求項３】
前記題名設定手段は、さらに手動で題名を設定する手段を含み、手動で題名が設定された場合には、原稿サイズにかかわらず、手動で設定された題名で電子メールを、前記メール送信手段にて送信することを特徴とする請求項１又は２に記載のメール送信装置。
【請求項４】
前記メール送信手段にて電子メールを送信する際、前回送信した宛先を予め送信宛先として設定し、前回送信した宛先に電子メールを再度送信する場合は、宛先入力を行なわずに電子メールを送信することを特徴とする請求項１乃至３に記載のメール送信装置。
【請求項５】
原稿をスキャンする読取工程と、
該読取工程によってスキャンされた原稿を画像情報として電子メールにて送信するメール送信工程と、
該原稿の原稿サイズを検出する原稿サイズ検出工程と、
を含むメール送信方法において、
原稿サイズに対応した電子メールの題名の文字列を複数保持させる保持工程を含み、
前記原稿サイズ検出工程によって検出された原稿サイズに対応する電子メールの題名の文字列を、前記保持工程より読み出し割り当て、電子メールの題名として設定する題名設定工程を含み、該題名設定工程によって題名を設定し、前記メール送信工程にて送信することを特徴とするメール送信方法。
【請求項６】
原稿をスキャンする読取工程と、
該読取工程によってスキャンされた原稿を画像情報として電子メールにて送信するメール送信工程と、
該原稿の原稿サイズを手動で設定する原稿サイズ設定工程と、
を含むメール送信方法において、
原稿サイズに対応した電子メールの題名の文字列を複数保持させる保持工程を含み、
前記原稿サイズ設定工程によって設定された原稿サイズに対応する電子メールの題名の文字列を、前記保持工程より読み出し割り当て、電子メールの題名として設定する題名設定工程を含み、該題名設定工程によって題名を設定し、前記メール送信工程にて送信することを特徴とするメール送信方法。
【請求項７】
電子メールを送信するメール送信方法をコンピュータによって実現するためのプログラムであって、
コンピュータに、
原稿をスキャンする読取工程と、
該読取工程によってスキャンされた原稿を画像情報として電子メールにて送信するメール送信工程と、
該原稿の原稿サイズを検出する原稿サイズ検出工程と、
原稿サイズに対応した電子メールの題名の文字列を複数保持させる保持工程と、
前記原稿サイズ検出工程によって検出された原稿サイズに対応する電子メールの題名の文字列を、前記保持工程より読み出し割り当て、電子メールの題名として設定する題名設定工程と、
を実行させることを特徴とするプログラム。
【請求項８】
電子メールを送信するメール送信方法をコンピュータによって実現するためのプログラムであって、
コンピュータに、
原稿をスキャンする読取工程と、
該読取工程によってスキャンされた原稿を画像情報として電子メールにて送信するメール送信工程と、
該原稿の原稿サイズを手動で設定する原稿サイズ設定工程と、
原稿サイズに対応した電子メールの題名の文字列を複数保持させる保持工程と、
前記原稿サイズ設定工程によって設定された原稿サイズに対応する電子メールの題名の文字列を、前記保持工程より読み出し割り当て、電子メールの題名として設定する題名設定工程と、
を実行させることを特徴とするプログラム。
【請求項９】
電子メールを送信するメール送信方法をコンピュータによって実現するためのプログラムを格納した記憶媒体であって、
コンピュータに、
原稿をスキャンする読取工程と、
該読取工程によってスキャンされた原稿を画像情報として電子メールにて送信するメール送信工程と、
該原稿の原稿サイズを検出する原稿サイズ検出工程と、
原稿サイズに対応した電子メールの題名の文字列を複数保持させる保持工程と、
前記原稿サイズ検出工程によって検出された原稿サイズに対応する電子メールの題名の文字列を、前記保持工程より読み出し割り当て、電子メールの題名として設定する題名設定工程と、
を実行させるプログラムを格納したことを特徴とする記憶媒体。
【請求項１０】
電子メールを送信するメール送信方法をコンピュータによって実現するためのプログラムを格納した記憶媒体であって、
コンピュータに、
原稿をスキャンする読取工程と、
該読取工程によってスキャンされた原稿を画像情報として電子メールにて送信するメール送信工程と、
該原稿の原稿サイズを手動で設定する原稿サイズ設定工程と、
原稿サイズに対応した電子メールの題名の文字列を複数保持させる保持工程と、
前記原稿サイズ設定工程によって設定された原稿サイズに対応する電子メールの題名の文字列を、前記保持工程より読み出し割り当て、電子メールの題名として設定する題名設定工程と、
を実行させるプログラムを格納したことを特徴とする記憶媒体。
【発明の詳細な説明】
【０００１】
【発明の属する技術分野】
本発明は、メール送信装置、送信方法、プログラム及び記憶媒体に関する。
【０００２】
【従来の技術】
近年、ファクシミリやＭＦＰなどにおいてメール送信が行なえる機器が開発されてきている。
【０００３】
このような装置の中には、スキャンした原稿をメールの添付ファイルとして送信可能な機種も開発されてきている。
【０００４】
例えば、スキャンした原稿をメールの添付ファイルとして送信する際に、メールの題名を、送信先メールアドレスと対応させてワンタッチキーに記憶しておく方法があった（例えば、特許文献１参照）。
【０００５】
【特許文献１】
特開２００１−５６７８９
【０００６】
【発明が解決しようとする課題】
しかしながら上記特許文献１においては、スキャンした原稿をメールで添付送信する場合、メールの題名はスキャンする原稿の内容に見合ったタイトルを装置の入力ボタン等からユーザが予め登録しておくか入力する必要があった。
【０００７】
また、メールの題名を入力しない場合は装置に固定で用意されている題名、たとえば「題名：Ａｔｔａｃｈｅｄ  Ｉｍａｇｅ」などの固定文字をメール送信の題名として設定しスキャンした原稿を送信するＥメールの題名として送信していた。この場合は、受け取ったメールに添付されている画像の中身がどのようなものなのか題名からでは判断しにくい。
【０００８】
一方、ファクシミリでは原稿と電話番号を設定しさえすれば原稿が相手に送信される手軽さがある。しかしながらメールの場合は原稿と送信宛先と題名の設定が通常必要であり、ファクシミリの場合と異なるのは、英数字等を使用する宛先の入力と漢字入力までも含む題名の入力が電話番号ほど容易ではない点にある。
【０００９】
本発明は、上記従来技術の課題を解決するためになされたもので、その目的とするところは、ユーザがスキャンする原稿に応じた題名を入力しなくとも、装置が自動で適宜最適な題名を設定してスキャンした原稿をメールで添付送信する装置及び方法並びに制御プログラムを提供することにある。
【００１０】
【課題を解決するための手段】
上記目的を達成するため、本発明に係る装置は、原稿をスキャンする読取手段と、該読取手段によってスキャンされた原稿を画像情報として電子メールにて送信するメール送信手段と、該原稿の原稿サイズを検出する原稿サイズ検出手段と、を含むメール送信装置において、原稿サイズに対応した電子メールの題名の文字列を複数保持する保持手段を含み、前記原稿サイズ検出手段によって検出された原稿サイズに対応する電子メールの題名の文字列を、前記保持手段より読み出し割り当て、電子メールの題名として設定する題名設定手段を含み、該題名設定手段によって題名を設定し、前記メール送信手段にて送信することを特徴とする。
【００１１】
上記目的を達成するため、本発明に係る他の装置は、原稿をスキャンする読取手段と、該読取手段によってスキャンされた原稿を画像情報として電子メールにて送信するメール送信手段と、該原稿の原稿サイズを手動で設定する原稿サイズ設定手段と、を含むメール送信装置において、原稿サイズに対応した電子メールの題名の文字列を複数保持する保持手段を含み、前記原稿サイズ設定手段によって設定された原稿サイズに対応する電子メールの題名の文字列を、前記保持手段より読み出し割り当て、電子メールの題名として設定する題名設定手段を含み、該題名設定手段によって題名を設定し、前記メール送信手段にて送信することを特徴とする。
【００１２】
上記目的を達成するため、本発明に係る方法は、原稿をスキャンする読取工程と、該読取工程によってスキャンされた原稿を画像情報として電子メールにて送信するメール送信工程と、該原稿の原稿サイズを検出する原稿サイズ検出工程と、を含むメール送信方法において、原稿サイズに対応した電子メールの題名の文字列を複数保持させる保持工程を含み、前記原稿サイズ検出工程によって検出された原稿サイズに対応する電子メールの題名の文字列を、前記保持工程より読み出し割り当て、電子メールの題名として設定する題名設定工程を含み、該題名設定工程によって題名を設定し、前記メール送信工程にて送信することを特徴とする。
【００１３】
上記目的を達成するため、本発明に係る他の方法は、原稿をスキャンする読取工程と、該読取工程によってスキャンされた原稿を画像情報として電子メールにて送信するメール送信工程と、該原稿の原稿サイズを手動で設定する原稿サイズ設定工程と、を含むメール送信方法において、原稿サイズに対応した電子メールの題名の文字列を複数保持させる保持工程を含み、前記原稿サイズ設定工程によって設定された原稿サイズに対応する電子メールの題名の文字列を、前記保持工程より読み出し割り当て、電子メールの題名として設定する題名設定工程を含み、該題名設定工程によって題名を設定し、前記メール送信工程にて送信することを特徴とする。
【００１４】
上記目的を達成するため、本発明に係るプログラムは、電子メールを送信するメール送信方法をコンピュータによって実現するためのプログラムであって、コンピュータに、原稿をスキャンする読取工程と、該読取工程によってスキャンされた原稿を画像情報として電子メールにて送信するメール送信工程と、該原稿の原稿サイズを検出する原稿サイズ検出工程と、原稿サイズに対応した電子メールの題名の文字列を複数保持させる保持工程と、前記原稿サイズ検出工程によって検出された原稿サイズに対応する電子メールの題名の文字列を、前記保持工程より読み出し割り当て、電子メールの題名として設定する題名設定工程と、を実行させることを特徴とする。
【００１５】
上記目的を達成するため、本発明に係る他のプログラムは、電子メールを送信するメール送信方法をコンピュータによって実現するためのプログラムであって、コンピュータに、原稿をスキャンする読取工程と、該読取工程によってスキャンされた原稿を画像情報として電子メールにて送信するメール送信工程と、該原稿の原稿サイズを手動で設定する原稿サイズ設定工程と、原稿サイズに対応した電子メールの題名の文字列を複数保持させる保持工程と、前記原稿サイズ設定工程によって設定された原稿サイズに対応する電子メールの題名の文字列を、前記保持工程より読み出し割り当て、電子メールの題名として設定する題名設定工程と、を実行させることを特徴とする。
【００１６】
上記目的を達成するため、本発明に係る記憶媒体は、電子メールを送信するメール送信方法をコンピュータによって実現するためのプログラムを格納した記憶媒体であって、コンピュータに、原稿をスキャンする読取工程と、該読取工程によってスキャンされた原稿を画像情報として電子メールにて送信するメール送信工程と、該原稿の原稿サイズを検出する原稿サイズ検出工程と、原稿サイズに対応した電子メールの題名の文字列を複数保持させる保持工程と、前記原稿サイズ検出工程によって検出された原稿サイズに対応する電子メールの題名の文字列を、前記保持工程より読み出し割り当て、電子メールの題名として設定する題名設定工程と、を実行させるプログラムを格納したことを特徴とする。
【００１７】
上記目的を達成するため、本発明に係る他の記憶媒体は、電子メールを送信するメール送信方法をコンピュータによって実現するためのプログラムを格納した記憶媒体であって、コンピュータに、原稿をスキャンする読取工程と、該読取工程によってスキャンされた原稿を画像情報として電子メールにて送信するメール送信工程と、該原稿の原稿サイズを手動で設定する原稿サイズ設定工程と、原稿サイズに対応した電子メールの題名の文字列を複数保持させる保持工程と、前記原稿サイズ設定工程によって設定された原稿サイズに対応する電子メールの題名の文字列を、前記保持工程より読み出し割り当て、電子メールの題名として設定する題名設定工程と、を実行させるプログラムを格納したことを特徴とする。
【００１８】
【発明の実施の形態】
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【００１９】
以下、本発明の一実施形態としてのメール送信装置を説明する。図１は、実施形態のメール送信装置の構成例を示す構成図である。
【００２０】
図１において１００は装置全体を制御するための中央演算処理部（ＣＰＵ）であり、１０１はプログラム、データ、設定するメールの題名の文字列を記憶しておくＲＯＭ、１０２は個人データ、電話帳などのバックアップ用のデータを格納する不揮発性ＲＡＭ、１０３はＣＰＵワークデータ、ＨＴＭＬデータ、表示用データ、記録用データなどを記憶する記憶部（ＤＲＡＭ）である。１０４は受信したＨＴＭＬデータを解析し表示用および記録用データへ変換するＨＴＭＬ変換部である。１０５は受信したコンテンツデータや装置の状態などをカラー表示する表示部、１０６はテンキーなどから構成される操作部、１０７は受信した画像やテキストを記録するプリンタなどの記録部、１０８は回線１０９を接続し外部と通信するためのモデムなどから構成される通信部である。ここで各処理部はシステムバス１１０で接続される。１１１はセンサ群で、記録剤収容手段としてのカートリッジの種別および有り無しの検出センサ、記録紙サイズの検出センサ、読み取り原稿巾のセンサ、原稿ありなしのセンサなどが含まれる。１１２は読取り部であり、カラー原稿のスキャンを行うための構成を有する部分である。１１３はメーラー部であり、操作部にて入力されたテキストデータやスキャンした原稿を受け取り回線を経由してメール送信を行なうための構成を有している。
【００２１】
図２は、表示部１０５の構成図である。表示部１０５は、表示データを記憶するＶＲＡＭ２００と、ＶＲＡＭ２００の内容をドットマトリクスＬＣＤ２０２に出力させるためのＬＣＤドライバ２０１とを含む。
【００２２】
図３は、ＤＲＡＭ１０３の内部構成を示すメモリマップであり、ＤＲＡＭ１０３はそれぞれＣＰＵ１００のワークとして使われるＣＰＵワークエリア、受信したＨＴＭＬデータを記憶するＨＴＭＬデータ格納エリア、メールのデータを記憶するメールデータ格納エリア、表示データを記憶する表示用データ格納エリア、プリントデータを記憶する記録用データ格納エリア、およびその他のデータを記憶するその他のデータ格納エリアから構成される。
【００２３】
図４は、本メール送信装置の操作部１０６の外観構成図であり、ＬＣＤ２０２、電話番号などを入力するためのテンキー４０２、機能設定などに用いるメニューキー４０３、マルチな入力に用いる４つのファンクションキー４０４、および設定入力キーであるセットキー４０５と、表示部のカーソル移動などに用いる左右上下方向キー４０６を含む。
【００２４】
図５は、本メール送信装置の操作部ＬＣＤにおいて、原稿をスキャン送信する場合のＧＵＩユーザインターフェイスの一例を示しており、スキャン送信する宛先を入力するモードを選択するためのモードに入る為の５０１マルチキー宛先、スキャン送信するための題名をユーザが手動で入力を行なうためのモードに入る為の５０２マルチキー題名、スキャン送信する原稿の読取り幅を変更するための５０３マルチキー読取り幅、スキャン送信を開始するための５０４マルチキーメール送信、スキャンする原稿の読取り幅の現在設定状態を示すための５０５原稿幅アイコン、同じく５０８原稿幅アイコン、メール送信のＥメールアドレスを示す５０６宛先入力部、メール送信時の題名を示す５０７題名、同じくメール送信時の題名を示す５０９、などを含む。
【００２５】
図６は本メール送信装置にて原稿をスキャン送信する場合のフローを示している。
【００２６】
以上のような構成において、以下に原稿をスキャンしてＥメールの添付ファイルとして送信する動作の説明を行なう。
【００２７】
図６において、Ｓ６０１にてスキャンメール送信の操作を開始する。この操作の開始は本装置の待機状態からスキャンを行なう原稿または写真等をスキャナ部にセットし、操作パネルのファンクションキー４０４を押下することによるものである。ここで図５はそのときＬＣＤに表示されるＧＵＩユーザインターフェイスである。
【００２８】
図６のＳ６０２ではスキャナ部にセットされた原稿の原稿幅がＡ４であるか否かを判断する。原稿幅の検出においてはセンサ郡１１１に含まれるフォトインタラブタにて原稿幅の検出を機構的に行なう。ここでは原稿幅の検出を前述の方法で行なうものとするが、この方法は他の手段でも構わなく、例えばスキャナで原稿を一旦読取り画像として原稿幅を判断する方法を採用しても良く、その場合は原稿幅の種類をきめ細かく検出することが出来るのでより好適な構成をとることが可能である。
【００２９】
Ｓ６０２でＡ４と判断されなかった場合は、原稿幅は写真サイズであると判断しＳ６０３へと遷移する。なお本件では説明のため、フォトインタラプタを使用し、原稿の種類をＡ４幅または写真幅の２つ幅を見分けて動作を行なう例を実施例として以下の説明を行なうことにする。
【００３０】
Ｓ６０４では題名をＲＯＭ１０１に記憶してある題名の中から読み出し、「写真を送ります」に設定する。この題名は図示しないバッファに格納し、後にＥメール送信を行なう際の題名の文字列として使用するためのデータとなるものである。スキャンする媒体が写真幅であると判断した場合、「写真を送ります」という題名を設定するというこの部分は本件の特徴的な内容の一つである。
【００３１】
Ｓ６０２でスキャンする原稿がＡ４幅と判断された場合には、同様にしてＳ６０５で原稿幅をＡ４にセットし、Ｓ６０６で題名をＲＯＭ１０１に記憶してある題名の中から読み出し、「原稿を送ります」という題名に設定する。
【００３２】
次にＳ６０７ではメールの送信宛先として、前回のメール送信を行なった宛先が履歴として残っていれば前回のメール送信宛先をメールの送信候補宛先としてＳ６０８にて設定しておく。いつも同じ宛先にメールを送る場合や、続けて同じ宛先にメールを送る場合宛先の入力を特に行なわなくても送信操作を行なうことが可能となり、ユーザビリティ性の向上を図ることが可能となる。
【００３３】
Ｓ６０７で前回送信したアドレスが無ければ、Ｓ６０９にて宛先を設定しない（ＮＵＬＬ）とする。
【００３４】
次に、Ｓ６１０では改めてメール送信の宛先を入力するための操作がなされたかどうかを判断する。これは図５のＧＵＩインターフェイスにおいて宛先キー５０１を押された場合に相当する。宛先キー５０１が押された場合、Ｓ６１１では宛先を文字入力するための文字入力モードのＧＵＩインターフェイスになる。この場合の入力操作や画面等は直接本特許の趣旨とは関係ないので割愛する。Ｓ６１１にて文字入力操作によりメール宛先の入力が行なわれた後は、Ｓ６１２でその入力内容を宛先として設定する。この設定された宛先はＳ６０８の宛先と同様にメール送信するための宛先データとなる。
【００３５】
次に、Ｓ６１３では題名入力操作がなされたかどうかを判断する。図５のＧＵＩインターフェイスにおいて題名キー５０２を押された場合に相当する。
【００３６】
この題名キー５０２を押下した場合、前述の「写真を送ります」や「原稿を送ります」という題名を手動入力することにより変更することが可能となる。一般的な題名で送信するのではなく、たとえば「運動会の写真を送ります」などと送信者が意図して題名を変更したい場合はこの操作にて題名の編集を行なうことが可能となる。文字入力操作Ｓ６１４にてこの操作を行なった後は、Ｓ６１５にて入力内容を題名へ設定し、Ｓ６１６で題名手動入力フラグをＯＮにする。題名手動入力フラグをＯＮにする理由は、後に説明するが原稿幅を切り替えても原稿幅によってあらかじめ決められている固定の題名が選択されることで、ここで手動で入力された題名が上書きされて消えてしまうことを避けるための識別子の働きをさせる為である。
【００３７】
次にＳ６１７では原稿幅を切り替える操作を行なったかどうかを判断する。図５のＧＵＩインターフェイスにおいて原稿幅キー５０３を押下された場合に相当する。
【００３８】
この題名キー５０３を押下した場合、前述の原稿幅検出の結果に関わらず手動にてスキャンする原稿幅を切り替えることが可能となる。たとえば写真サイズと葉書サイズなど装置に実装されている原稿幅センサーだけではスキャンする原稿サイズの判別が機構構造上行なえない場合や、Ａ４原稿の写真サイズ部分だけをスキャンして送信したい場合にはこの題名キー５０３を押下することにより、手動でスキャンする原稿幅を切り替えることができる。そしてこの場合でも選択された原稿幅に同期して原稿サイズに相応しい題名を本装置が自動で設定する構成をとるものである。
【００３９】
しかしながらＳ６１７で原稿幅切り替えが手動で行なわれたと判断した場合でもＳ６１８で題名手動入力フラグがＯＮの時はＹＥＳに分岐して、原稿幅に同期して題名を切り替えない。これは手動で題名入力を行った後、原稿幅を切り替える操作を行った場合は手動で入力した題名を保持するためである。
【００４０】
一方で、Ｓ６１８で題名手動入力フラグがＯＦＦの場合はＮＯに分岐する。
【００４１】
このあとＳ６１９では切り替えられた原稿幅がＡ４か写真かの判断を行う。図５のアイコン５０５が示している状態は現在の設定がＡ４となっていることを示しているが、このときファンクションキー５０３を押下すると原稿幅が写真へ切り替わる。アイコン５０８はこのとき表示されるアイコンである。すなわちＳ６２０では切り替えられた結果の原稿幅を判断しＡ４でなければ写真幅と判断して次にＳ６２１へと遷移する。Ａ４であると判断すればＳ６２３へと遷移する。
【００４２】
写真幅と判断されたあとのＳ６２１ではスキャン原稿幅の設定を写真へセットする。Ｓ６２２ではメールの題名をＲＯＭ１０１に記憶してある題名の中から読み出し、「写真を送ります」に設定する。
【００４３】
また同様に、Ａ４幅と判断されたあとのＳ６２３ではスキャン原稿幅の設定をＡ４へセットする。Ｓ６２４ではメールの題名をＲＯＭ１０１に記憶してある題名の中から読み出し、「原稿を送ります」に設定する。
【００４４】
次にＳ６２５に移る。
【００４５】
Ｓ６２５では原稿スキャンしたメールを送るための宛先、題名、原稿幅の設定が済み、図５におけるファンクションキー５０４のメール送信キーが押されたと判断された場合には、次にＳ６２６へと遷移し、Ａ４ないしは写真幅で設定された原稿幅でスキャンを開始し、続けてＥメール送信動作に移る。
【００４６】
スキャンに関してはカラーにて行い、スキャンを行ったデータはＪＰＥＧ等の符号化により圧縮を行い添付ファイルとしてのデータ生成を行う。そしてこの添付ファイルをメールの送信プロトコル（ＳＭＴＰ）に沿ってメールサーバーへと送信を行う。ここでは添付送信を行う仕組みに関しては特に本件の内容とは直接関係がないので詳細の説明は割愛する。
【００４７】
以上のようにして、原稿をスキャンしてメールの添付ファイルとして送信する場合にメールの題名として、原稿幅に相応しい文字を付与することを可能にする。
【００４８】
本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００４９】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５１】
【発明の効果】
以上のように、本発明によれば、原稿をスキャンしてＥメールの添付ファイルとして送信する場合において、ユーザがメールの題名を入力しなくても原稿幅に応じて適切な題名を自動的に設定してメールを送信する装置を提供することができる。
【図面の簡単な説明】
【図１】本発明の実施形態としてのメール送信装置の構成を示すブロック図である。
【図２】本発明の実施形態としてのメール送信装置の表示部の構成を示したブロック図である。
【図３】本発明の実施形態としてのメール送信装置の記憶部の構成を示したブロック図である。
【図４】本発明の実施形態としてのメール送信装置の操作部のブロック図である。
【図５】本発明の実施形態としてのメール送信装置のＧＵＩインターフェイス図である。
【図６】本発明の実施形態としてのメール送信装置のメール送信操作方法を示したフロー図である。
【符号の説明】
１００  ＣＰＵ
１０１  ＲＯＭ
１０２  不揮発性ＲＡＭ
１０３  データ記憶部
１０４  ＨＴＭＬ変換部
１０５  表示部
１０６  操作部
１０７  記録部
１０８  通信部
１０９  回線
１１０  バス
１１１  センサ群
１１２  読取り部
１１３  メーラー部
【図１】
2005011087.tif 000003
【図２】
2005011087.tif 000004
【図３】
2005011087.tif 000005
【図４】
2005011087.tif 000006
【図５】
2005011087.tif 000007
【図６】
2005011087.tif 000008